(57)【要約】【課題】  アラームウィンドウに表示されるメッセージを整理して操作性を向上させることにより、オペレータのアラーム処理を効率アップできるアラーム表示装置を実現する。【解決手段】  アラームメッセージを収集して画面表示するアラーム表示装置において、  前記画面を分割し、指定された抽出条件に合致するアラームメッセージと他のアラームメッセージを別々の分割画面に表示する分割表示手段を備える。【選択図】                    図１
2005228027.tif 000002
【特許請求の範囲】
【請求項１】
アラームメッセージを収集して画面表示するアラーム表示装置において、
前記画面を分割し、指定された抽出条件に合致するアラームメッセージと他のアラームメッセージを別々の分割画面に表示する分割表示手段を備えることを特徴とするアラーム表示装置。
【請求項２】
前記分割表示手段は、前記画面を上下に２分割し、上画面に前記抽出条件に合致するアラームメッセージを表示し、下画面に前記他のアラームメッセージを表示することを特徴とする請求項１に記載のアラーム表示装置。
【請求項３】
前記画面に表示するアラームメッセージの項目を指定する表示項目設定手段を備えることを特徴とする請求項１又は２に記載のアラーム表示装置。
【請求項４】
前記画面表示を分割画面表示又は全画面表示に指定する分割表示操作手段を備えたことを特徴とする請求項１乃至３のいずれかに記載のアラーム表示装置。
【請求項５】
前記分割表示操作手段は、前記アラームメッセージの重要度レベルを抽出条件として指定できることを特徴とする請求項４に記載のアラーム表示装置。
【請求項６】
前記アラームメッセージは、分散型制御システムの制御装置より操作監視装置に通知されることを特徴とする請求項１乃至５のいずれかに記載のアラーム表示装置。
【発明の詳細な説明】
【技術分野】
【０００１】
本発明は、アラームメッセージを収集して画面表示するアラーム表示装置に関する。
【背景技術】
【０００２】
アラーム表示装置は、アラーム発生時にプラントから通知されるメッセージを発生順に画面表示し、オペレータがアラームの確認を行う。アラームには、システムアラーム、プロセスアラーム、オペガイドの3種類があるが、本発明では最も頻度の高いプロセスアラームの表示装置を例に説明する。
【０００３】
図５は分散型制御システムに適用した従来のアラーム表示装置の一例を示す機能ブロック図である。１は操作監視装置であり、制御バス２に接続されている。３は制御装置であり、制御バス２に接続されて操作監視装置１と通信する。４はＩ／Ｏバスである。制御装置３はこのＩ／Ｏバス４を介してプラントのフィールド機器５の制御を行なう。
【０００４】
操作監視装置１において、１１はアラームメッセージ保持手段であり。制御装置３から通知されるアラームメッセージを時系列的に取得して保持する。１２はアラームメッセージが表示される表示装置であり、全画面表示ウィンドウ１２ａ及び表示手段１２ｂを備えている。
【０００５】
１３は表示設定手段であり、表示すべき時系列的アラームメッセージをアラームメッセージ保持手段１１から取得して表示手段１２ｂに渡すと共に、表示対象を条件選択して抽出するフィルタ手段１３ａを備えている。
【０００６】
図６は、全画面で表示されたアラーム表示ウィンドウのイメージ図である。このウィンドウに時系列的に表示されるアラームメッセージの項目は、アラームマーク、発生時刻、タグ名、タグコメント、ステータスである。
【０００７】
メニューバーのフィルタボタンをクリックすると、フィルタダイアログ画面がポップアップする。現在のフィルタ条件では範囲は「すべて」、種別も「すべて」に条件設定されているので、画面には全てのアラームメッセージが時系列的に表示されている。
【０００８】
アラーム表示装置に関連する先行技術文献としては次のようなものがある。
【０００９】
【特許文献１】特開２００３−１８６５３６号公報
【発明の開示】
【発明が解決しようとする課題】
【００１０】
しかし、従来のアラーム表示装置では次の問題点があった。
（１）時系列にメッセージが表示されるだけで整理されていない。メッセージ多発時は重要なメッセージが雑多なメッセージに埋もれてしまい、オペレータが対処するまでに時間がかかる。フィルタをかければ重要なメッセージのみ表示することができるが、その他のメッセージを同時に監視できないため、一時的なフィルタ表示となり根本的な解決にはならない。
【００１１】
（２）メッセージの操作性が悪い。アラームを処理する場合、順番に見ていくか機器名等でフィルタをかけるしかない。ある機器に関するメッセージのみ表示しようとすると、フィルタダイアログで機器名等を入力して表示させ、また別の機器に関するメッセージを表示させようとすると再度フィルタダイアログを表示し再設定を行うため操作が煩雑である。
（３）メッセージフォーマット、表示順が固定であるため、見やすいようにユーザがカスタマイズできない。更に、メッセージが固定長となり、長いメッセージはウィンドウに表示しきれず切れてしまう。また、メッセージ表示項目の選択や表示項目のサイズを変更できないため、長いメッセージを表示させるにはウィンドウサイズを大きくするしかない。
【００１２】
従って本発明が解決しようとする課題は、アラームウィンドウに表示されるメッセージを整理して操作性を向上させることにより、オペレータのアラーム処理を効率アップできるアラーム表示装置を実現することにある。
【課題を解決するための手段】
【００１３】
このような課題を達成するために、本発明の構成は次の通りである。
（１）アラームメッセージを収集して画面表示するアラーム表示装置において、
前記画面を分割し、指定された抽出条件に合致するアラームメッセージと他のアラームメッセージを別々の分割画面に表示する分割表示手段を備えることを特徴とするアラーム表示装置。
【００１４】
（２）前記分割表示手段は、前記画面を上下に２分割し、上画面に前記抽出条件に合致するアラームメッセージを表示し、下画面に前記他のアラームメッセージを表示することを特徴とする（１）に記載のアラーム表示装置。
【００１５】
（３）前記画面に表示するアラームメッセージの項目を指定する表示項目設定手段を備えることを特徴とする（１）又は（２）に記載のアラーム表示装置。
【００１６】
（４）前記画面表示を分割画面表示又は全画面表示に指定する分割表示操作手段を備えたことを特徴とする（１）乃至（３）のいずれかに記載のアラーム表示装置。
【００１７】
（５）前記分割表示操作手段は、前記アラームメッセージの重要度レベルを抽出条件として指定できることを特徴とする（４）に記載のアラーム表示装置。
【００１８】
（６）前記アラームメッセージは、分散型制御システムの制御装置より操作監視装置に通知されることを特徴とする（１）乃至（５）のいずれかに記載のアラーム表示装置。
【発明の効果】
【００１９】
以上説明したことから明らかなように、本発明によれば次のような効果がある。
（１）分割表示を利用して上部に主要機器のメッセージ、下部にそれ以外のメッセージを表示させる等発生元等でメッセージを仕分け、アラームメッセージを整理できる。
【００２０】
（２）上下にメッセージを分けるだけで常に全アラームを表示しているので、一時的なフィルタとは違い通常監視に利用できる。大規模のアラームが多発するシステムでは、このようなメッセージの整理はオペレータの負荷を軽減するのに極めて有効な手法である。
【００２１】
（３）また、ワンタッチでタグ名、重要度等でメッセージをソートできるようになり、ある機器に関するアラームを並べて見る等メッセージの操作性が格段に向上し、アラームの解析に役立つ。更に、アラームの重要度を表示しソートできるので、オペレータが重要なアラームをメッセージ多発時に見逃すことはなくなる。
【発明を実施するための最良の形態】
【００２２】
以下、本発明を図面により詳細に説明する。図１は本発明を分散型制御システムに適用したアラーム表示装置の一実施形態を示す機能ブロック図である。図５で説明した従来装置と同一要素には同一符号を付し、説明を省略する。以下、本発明の特徴部につき説明する。
【００２３】
図１において、１００は表示装置であり、上分割画面表示ウィンドウ１０１、下分割画面表示ウィンドウ１０２を有する表示ウィンドウと分割表示手段１０３よりなる。
【００２４】
２００は表示設定手段であり、表示すべき時系列的アラームメッセージをアラームメッセージ保持手段１１から取得して分割表示手段１０３に渡すと共に、分割表示対象を条件選択して抽出する分割表示操作手段２０１及び表示項目設定手段２０２を備えている。
【００２５】
本発明アラーム表示装置の特徴点は、
（１）ウィンドウを分割表示してメッセージを発生元で上下に振り分けて整理して表示することができる。
（２）表示項目の選択が行える。アラーム重要度の表示、タグコメントの非表示等が選択可能となる。また、表示項目のサイズも変更できるため、メッセージ長を調節できる。
（３）タグ名、レベルなどの表示項目をクリックするとメッセージをソートする。ワンタッチでメッセージを簡単に並べ替えることが可能である。
【００２６】
図２乃至図４により、具体的な表示例を説明する。図２に示す初期画面では、従来装置と同様にアラーム表示ウィンドウが全画面で表示される。オペレータは、メニューバーのフィルタボタンをクリックすると、フィルタダイアログ及び分割操作ダイアログがポップアップする。
【００２７】
この例では、フィルタダイアログのフィルタ条件として、範囲をタグ名SIS1000、レベルを１に設定し、種別として「すべて」を設定すると共に、分割操作ダイアログでは分割ウィンドウ表示を設定している。
【００２８】
オペレータは、メニューバーの項目ボタンをクリックすると図３の項目表示ダイアログがポップアップしてアラームメッセージの表示項目を選択することが可能となる。フィルタボタンのクリックによるフィルタダイアログ及び分割操作ダイアログの条件入力と、項目ボタンのクリックによるアラームメッセージの表示項目の選択は、どちらを先に実行してもよい。
【００２９】
図４は、本発明によるアラームメッセージの分割表示画面の例を示すものであり、フィルタダイアログで設定したタグ名SIS1000でかつレベル１の条件に合致するアラームメッセージが上分割画面表示ウィンドウに表示され、この条件を満たさないアラームメッセージが下分割画面表示ウィンドウに表示される。この画面から、ステータス、タグ名、レベル等でソートし、メッセージを並べ替えて見ることも可能となる。
【００３０】
なお、上述したように上分割画と下分割画に分けるのに限らず、指定された抽出条件に合致するアラームメッセージと他のアラームメッセージを別々の分割画面に表示するようにしてもよい。
【００３１】
図２で説明した分割操作ダイアログにおいて分割ウィンドウ表示のチェックをはずせば、図６で説明した従来機能と全く同様にフィルタの設定条件を満足するアラームメッセージが全画面のアラーム表示ウィンドウに表示されるので、従来操作によるオペレーションも違和感なく踏襲されている。
【００３２】
本発明により、アラーム表示のウィンドウは分割表示が可能となった。この機能を利用すれば、アラームの発生元の種別（システムアラーム、プロセスアラーム、オペガイド）毎に表示ウィンドウを仕分けることができる。即ち表示ウィンドウを３分割し、上部にシステムアラーム、中部にプロセスアラーム、下部にオペガイドを表示する。このように、監視ウィンドウを一つにすることで、オペレータの負荷を更に軽減することができる。
【図面の簡単な説明】
【００３３】
【図１】本発明を分散型制御システムに適用したアラーム表示装置の一実施形態を示す機能ブロック図である。
【図２】アラーム表示ウィンドウ、フィルタダイアログ、分割操作ダイアログのイメージ図である。
【図３】項目表示ダイアログのイメージ図である。
【図４】本発明による分割表示ウィンドウのイメージ図である。
【図５】分散型制御システムに適用した従来のアラーム表示装置の一例を示す機能ブロック図である。
【図６】アラーム面表示ウィンドウ、フィルタダイアログのイメージ図である。
【符号の説明】
【００３４】
１  操作監視装置
１１  アラームメッセージ保持手段
２  制御バス
３  制御装置
４  Ｉ／Ｏバス
５  フィールド機器
１００  表示装置
１０１  上分割画面表示ウィンドウ
１０２  下分割画面表示ウィンドウ
１０３  分割表示手段
２００  表示設定手段
２０１  分割表示操作手段
２０２  表示項目設定手段
【図１】
2005228027.tif 000003
【図２】
2005228027.tif 000004
【図３】
2005228027.tif 000005
【図４】
2005228027.tif 000006
【図５】
2005228027.tif 000007
【図６】
2005228027.tif 000008